(57)【特許請求の範囲】
【請求項１】
電子機器の外装ケースに窪んで設けられ、対向する位置に電池の両端に弾接する電極を有する四方の側壁部と、側壁部下方の開口部を塞ぐように着脱可能にスナップ結合し、収容する電池の脱落を防止する蓋板と、蓋板と対向し、少なくとも一ヶ所の貫通孔を有する底板としての回路基板と、この回路基板の上面に配置されたプッシュスイッチ用の弾性絶縁材料からなる弾性駆動体または弾性接点体と一体に形成され、根元部が中空で先端部が塞がれた中空筒状である弾性突起部が、上記回路基板の貫通孔を通って電池収容部内に突出し、収容した電池を蓋板側に押圧すると共に、上記電池収容部は収容する電池の外径よりも所定寸法だけ大きく形成された電子機器の電池収容構造。
【請求項２】
中空筒状の弾性突起部内に根元側から心棒を挿入した請求項１記載の電池収容構造。
【請求項３】
直列に接続収容された２本の棒状の電池の接続部近傍に突出させた一つの弾性突起部で、２本の電池の接続部側の端部を同時に押圧する請求項１または２記載の電池収容構造。
【請求項４】
側壁部に設けられた弾性を有する電極の接点の電池のマイナス極に弾接する位置が、電池収容部の上下方向の中心よりも内方の底板側に位置する請求項１〜３のいずれか一つに記載の電池収容構造。
【請求項５】
弾性を有する電極が、弾性金属線を円錐の頂点と根元部を偏心させて円錐コイルばね状に巻いて形成したものである請求項４記載の電池収容構造。
【請求項６】
収容した電池を押圧する弾性突起部と対向する部分が着脱可能な蓋板の裏面で、固定蓋との間に外れ防止用引掛り部が設けられた部分の近傍である請求項３記載の電池収容構造。
【発明の詳細な説明】
【０００１】
【発明の属する技術分野】
本発明は、カセットテープレコーダー、リモートコントロール送信器などの電子機器の電池収容構造に関するものである。
【０００２】
【従来の技術】
従来の電池収容構造の技術をリモートコントロール送信器のケースに設けた電池収容構造を例として、図６および図７を用いて説明する。
【０００３】
図６は従来のリモートコントロール送信器の側面断面図、図７は同分解斜視図であり、図７は製品の構成が判り易いように図６とは上下を反対にした場合を示している。
【０００４】
同図において、１は樹脂製の外装ケースとなる上ケースで複数のキー孔１Ａを有しており、２は弾性絶縁材料からなる機能部品としてのゴム製の弾性接点体であり、上方に複数のキートップ部２Ａを、下面に導電性の接点２Ｂを有しており、３は回路基板で、弾性接点体２側と対向する面に弾性接点体２と共にスイッチを構成する複数の固定接点３Ａと信号発生回路３Ｂを有し、反対側の面には弾性金属線製でコイルばね状の先端が電池のマイナス極に弾接する第一電極３Ｃと金属線製で平面状に形成されて電池のプラス極に当接する第２電極３Ｄを対向して有しており、４は直列に配された２本の取替え可能な棒状の電池である。
【０００５】
５は樹脂製の外装ケースとなる下ケースで下面に回路基板３と下ケース５と一体の内壁５Ａで囲われた電池収容部５Ｂを有しており、６は電池収容部５Ｂを塞ぐように下ケース５にスナップ結合される着脱可能な蓋板で、内側面に弾性材料製の緩衝材７が固着されており、８は下ケース５のネジ孔５Ｃを貫通して上ケースのボス１Ｂに締め付けられて上記の各部材を上ケース１と下ケース５内に固定する締め付けネジである。
【０００６】
このように電池収容部５Ｂを電子機器の下ケース５と一体に構成することが一般に行われている。
【０００７】
【発明が解決しようとする課題】
各種電池の大きさは規格で決められており、棒状の電池の寸法規格は、アイ・イー・シー規格（ＩＥＣ）、日本工業規格（ＪＩＳ）などに規定されていて、例えば単３タイプの電池の直径の規格は基準値１４．５mm、公差＋０、−１．０mmとなっている。
【０００８】
上記のような電子機器の電池収容部５Ｂの深さおよび左右の幅の内寸法は電池本体の直径の寸法規格よりも所定の値だけ大きく設計されているのが一般的であり、例えば上記のような電池収容部５Ｂの深さおよび幅の内寸法は基準値１４．８mm、公差＋０．３、−０mmとしている。
【０００９】
したがって、上記のようなリモートコントロール送信器においては、通常、電池収容部５Ｂ周辺の内壁５Ａおよび底板である回路基板３、あるいは下ケース５および蓋板６と電池４本体の間に隙間を有していて、特に、電池４の直径が小さいものの場合には１mm以上の隙間が発生することとなり、リモートコントロール送信器本体を振るなどの振動を加えた時に電池４のガタツキおよびそれに伴う異音を発生させるという問題があった。
【００１０】
この対策として、蓋板６に緩衝材７を固着させて電池４に圧接させて、電池４のガタツキを抑えていたが、緩衝材７による圧接が強過ぎると蓋板６が外れ易くなるため、スポンジ材などを用いた弱目の圧接としており電池４のガタツキ、異音を抑えるには十分なものではないという課題があった。
【００１１】
また、別部材としての緩衝材７を使用することは部品点数、組立工数を増やすという課題もあった。
【００１２】
本発明は、このような従来の課題を解決するものであり、部品点数・組立工数を増やさないで電池のガタツキとそれによる異音を効果的に抑える電池収容構造を実現することを目的とする。
【００１３】
【課題を解決するための手段】
上記課題を解決するために本発明の電池収容構造は、プッシュスイッチ用の弾性絶縁材料からなる弾性駆動体または弾性接点体と一体に形成され、根元部が中空で先端部が塞がれた中空筒状である弾性突起部を、電池収容部の底板に設けた貫通孔を通して電池収容部内に突出させ、収容された電池を蓋板側へ押圧させるものである。
【００１４】
これにより、部品点数および組立工数を増やさないで電池のガタツキ及び異音を効果的に抑えることができる電池収容構造を備えた電子機器を提供することができる。
【００１５】
【発明の実施の形態】
本発明の請求項１に記載の発明は、電子機器の外装ケースに窪んで設けられ、対向する位置に電池の両端に弾接する電極を有する四方の側壁部と、側壁部下方の開口部を塞ぐように着脱可能にスナップ結合し、収容する電池の脱落を防止する蓋板と、蓋板と対向し、少なくとも一ヶ所の貫通孔を有する底板としての回路基板と、この回路基板の上面に配置されたプッシュスイッチ用の弾性絶縁材料からなる弾性駆動体または弾性接点体と一体に形成され、根元部が中空で先端部が塞がれた中空筒状である弾性突起部が、上記回路基板の貫通孔を通って電池収容部内に突出し、収容した電池を蓋板側に押圧すると共に、上記電池収容部は収容する電池の外径よりも所定寸法だけ大きく形成された電子機器の電池収容構造としたものであり、プッシュスイッチ用の弾性絶縁材料からなる弾性駆動体または弾性接点体と一体に形成された弾性突起部が電池収容部に収容された電池を押圧して電池本体と蓋板側との隙間をなくし、部品点数・組立工数を増やさないで電池のガタツキおよび異音を抑えることができると共に、中空部の寸法の設定によって弾性突起部が電池を押圧する時の弾性変形の度合いないしは押圧力を適切に設定することができるという作用を有する。
【００１８】
請求項２に記載の発明は、請求項１記載の発明において、中空筒状の弾性突起部内に根元側から心棒を挿入したものであり、弾性突起部が長寸の場合でも、その根元部のぐらつきや座屈をなくして電池をさらに安定して押圧させることができ、電池のガタツキおよび異音を抑える効果を増すことができるという作用を有する。
【００１９】
請求項３に記載の発明は、請求項１または２記載の発明において、直列に接続収容された２本の棒状の電池の接続部近傍に突出させた一つの弾性突起部で、２本の電池の接続部側の端部を同時に押圧するものであり、一つの弾性突起部を設けることによって、２本の棒状の電池のガタツキおよび異音を効果的に抑えることができるという作用を有する。
【００２０】
請求項４に記載の発明は、請求項１〜３のいずれか一つに記載の発明において、側壁部に設けられた弾性を有する電極の接点の電池のマイナス極に弾接する位置が、電池収容部の上下方向の中心よりも内方の底板側に位置するものであり、電池が収容された時、弾性突起部による押圧力に加え、電極の弾性によって電池のマイナス極を底板側へ押し付けるように付勢する力が働き、さらに電池のガタツキおよび異音をより効果的に抑えることができるという作用を有する。
【００２１】
請求項５に記載の発明は、請求項４記載の発明において、弾性を有する電極が、弾性金属線を円錐の頂点と根元部を偏心させて円錐コイルばね状に巻いて形成したものであり、請求項４記載の作用に加えて、簡単かつ容易に製作できるという作用を有する。
【００２２】
請求項６に記載の発明は、請求項３記載の発明において、収容した電池を押圧する弾性突起部と対向する部分が着脱可能な蓋板の裏面で、固定蓋との間に外れ防止用引掛り部が設けられた部分の近傍であるものであり、固定蓋側へ電池を挿入する時に弾性突起部への引っ掛かりがなく、電池の挿入が容易であると共に、弾性突起部に押圧された電池に押された着脱可能な蓋板が外れ難いという作用を有する。
【００２３】
以下、本発明の実施の形態について、図１〜図５を用いて説明する。
（実施の形態１）
図１は本発明の第１の実施の形態による電池収容構造を採用したリモートコントロール送信器の側面断面図、図２は同分解斜視図で、製品の構成が判り易いように図１とは上下を反対にした場合を示し、図３は同要部である弾性突起部周辺の拡大断面図である。
【００２４】
同図において、１１は樹脂製の外装ケースとなる上ケースで、上面に複数のキー孔１１Ａを、下面の両端に３ヶのネジ締め用のボス１１Ｂを有し、１２は弾性絶縁材料からなる機能部品としてのゴム製の弾性接点体で、上方に上ケース１１のキー孔１１Ａから突出して操作部となる複数のキートップ部１２Ａを有し、各キートップ部１２Ａの下方に導電性の可動接点１２Ｂを備え、さらに弾性接点体１２の下面ほぼ中央には、根元部が中空で先端部が塞がれた弾性突起部１２Ｃが一体に設けられている。
【００２５】
そして、１３は回路基板で、弾性接点体１２側の面に弾性接点体１２の複数の可動接点１２Ｂと対向してスイッチを構成する複数の固定接点１３Ａと、信号を発生する電子回路１３Ｂを備え、反対側の面には弾性金属線製でコイルばね状の先端が電池のマイナス極に弾接する第一電極１３Ｃと金属線製で平面状に形成されて電池のプラス極に当接する第二電極１３Ｄが対向して装着されており、ほぼ中央には弾性接点体１２の弾性突起部１２Ｃを貫通させる貫通孔１３Ｅが設けられている。
【００２６】
また、１４は外装ケースとなる下ケースで下面に開口部１４Ａとその側部に固定蓋１４Ｂを有した電池収容部１４Ｃを備え、この電池収容部１４Ｃの深さおよび幅寸法は電池の基準値直径寸法よりも０．３mm大きく設定されている。
【００２７】
そして、上記各部品を組み合わせた後、下ケース１４の両端の、上ケース１１のボス１１Ｂに合致する位置に設けられた３ヶのネジ孔１４Ｄに締め付けネジ１５を通して、上ケース１１のボス１１Ｂの孔に締め付けて固定されている。
【００２８】
このように構成されたリモートコントロール送信器の下面の開口部１４Ａより２本の棒状の電池１６が挿入されて電池収容部１４Ｃに直列に配置され、回路基板１３に装着された第一電極１３Ｃと第二電極１３Ｄの間に弾接保持されて電子回路１３Ｂに接続されると共に、弾性接点体１２と一体に形成された弾性突起部１２Ｃが回路基板１３の貫通孔１３Ｅを通して２本の電池１６の接続部近傍に突出して、２本の電池１６の接続部側の端部を同時に押圧し、電池１６を下ケース１４の一部である固定蓋１４Ｂ内面および開口部１４Ａを塞ぐ蓋板１７に適度の押圧力で押し付けるようになっている。
【００２９】
そして、この蓋板１７は１本の電池１６よりも少し長い寸法であるため、上記の弾性突起部１２Ｃが突出する部分はこの蓋板１７の裏面であり、この蓋板１７と固定蓋１４Ｂとの結合部は、図３に点線で示すように、蓋板１７の端部に設けた突出部１７Ａが固定蓋１４Ｂの端部に設けた窪み１４Ｅに挿入されて外れ防止用の引掛り部を構成しており、蓋板１７の反対側の端部は、図１に示す弾性爪１７Ｂが係合用の凹部１４Ｆの段部（図示せず）に弾接してスナップ結合している。
【００３０】
本実施の形態によれば、弾性接点体１２と一体の一つの弾性突起部１２Ｃが２本の棒状の電池１６を同時に押圧して下ケース１４の固定蓋１４Ｂおよび蓋板１７に押し付けるので、緩衝材を別部材で設けないで電池１６のガタツキおよび異音を効果的に抑えることができると共に、電池収容部１４Ｃ内への電池１６の挿入が容易で、しかも、着脱可能な蓋板１７が外れ難い電池収容構造とすることができるものである。
【００３１】
なお、上記の説明においては、弾性接点体１２の下面に設けた弾性突起部１２Ｃを中空としているが、図４の弾性突起部周辺の他の構成を説明する拡大断面図に示すように、弾性突起部１２Ｃの中空部分に上ケース２１から下方へ突出して設けた心棒２１Ａを挿入することによって、弾性突起部１２Ｃが長寸の場合でも、その根元部のぐらつきや座屈を防止して、電池１６をさらに安定して押圧できるので、電池１６のガタツキおよび異音を抑える効果を増すことができるものである。
【００３２】
（実施の形態２）
図５は本発明の第２の実施の形態による電池収容構造を示す部分拡大断面図であり、上記実施の形態１によるものに対して、弾性金属線製の第一電極２３のコイルばね状の先端の接点２３Ａが電池１６のマイナス極に弾接する位置が異なっている。
【００３３】
すなわち、電池１６のマイナス極に弾接する第一電極２３の接点２３Ａを電池収容部１４Ｃの上下方向の中心イよりも内側の回路基板１３側へ少し寄せた位置となるように第一電極２３の取付位置を内側にずらして形成して、電池１６を挿入した時に、第一電極２３の接点２３Ａが電池１６のマイナス極の中心から回路基板１３側へ外れた位置に弾接するようにしたものであり、その他の構成は実施の形態１の場合と同じであるので詳しい説明を省略する。
【００３４】
本実施の形態によれば、実施の形態１と同様の弾性接点体１２と一体の弾性突起部１２Ｃによって２本の電池１６の接続部側を下ケース１４の固定蓋１４Ｂおよび蓋板１７側に押圧することにより、この部分での隙間は回路基板１３側に生じるため第一電極２３側に挿入された電池１６のマイナス極側には第一電極２３の弾性力を緩和する方向すなわち回路基板１３側に傾こうとする力が働いているが、弾性金属線製の第一電極２３の接点２３Ａが電池１６のマイナス極の中心よりも内側の回路基板１３側に外れた位置を押圧することによってこの傾向はさらに顕著になり、電池１６は回路基板１３側へ押し付けられて安定するようになるので、電池１６のガタツキおよび異音を抑える効果を増すことができるものである。
【００３５】
なお、上記実施の形態で説明した第一電極２３の接点２３Ａを電池収容部１４Ｃの上下方向の中心イよりも内側の回路基板１３側へ少し寄せた位置となるように形成する他の方法として、第一電極２３の取付位置は変えずに、接点２３Ａとなる円錐コイルばねの円錐の頂点を内側へ寄せるように偏心させて巻いて形成する方法を用いても同様な効果が得られる。
【００３６】
なお、上記の実施の形態１および２において、弾性接点体１２はその下面に可動接点１２Ｂを有するものとしたが、この可動接点１２Ｂを別体の弾性金属製などの接点として、弾性接点体１２は接点を有しない弾性駆動体としても良いことは勿論である。
【００３７】
【発明の効果】
以上のように本発明によれば、リモートコントロール送信器などの電子機器の電池収容部に装着された電池を、プッシュスイッチ用の弾性絶縁材料からなる弾性駆動体または弾性接点体と一体に形成され、根元部が中空で先端部が塞がれた中空筒状である弾性突起部で押圧することによって、電池のガタツキおよび異音を効果的に抑えることができる、部品点数および組立工数の少ない電池収容構造を提供できるという有利な効果が得られる。
【図面の簡単な説明】
【図１】本発明の第１の実施の形態による電池収容構造を採用したリモートコントロール送信器の側面断面図
【図２】同分解斜視図
【図３】同要部である弾性突起部周辺の拡大断面図
【図４】同要部である弾性突起部周辺の他の構成を説明する拡大断面図
【図５】本発明の第２の実施の形態による電池収容構造を示す部分拡大断面図
【図６】従来のリモートコントロール送信器の側面断面図
【図７】同分解斜視図
【符号の説明】
１１，２１  上ケース
１１Ａ  キー孔
１１Ｂ  ボス
１２  弾性接点体
１２Ａ  キートップ部
１２Ｂ  可動接点
１２Ｃ  弾性突起部
１３  回路基板
１３Ａ  固定接点
１３Ｂ  電子回路
１３Ｃ，２３  第一電極
１３Ｄ  第二電極
１３Ｅ  貫通孔
１４  下ケース
１４Ａ  開口部
１４Ｂ  固定蓋
１４Ｃ  電池収容部
１４Ｄ  ネジ孔
１４Ｅ  窪み
１４Ｆ  凹部
１５  締め付けネジ
１６  電池
１７  蓋板
１７Ａ  突出部
１７Ｂ  弾性爪
２１Ａ  心棒
２３Ａ  接点
【図１】
0003873415.tif 000002
【図２】
0003873415.tif 000003
【図３】
0003873415.tif 000004
【図４】
0003873415.tif 000005
【図５】
0003873415.tif 000006
【図６】
0003873415.tif 000007
【図７】
0003873415.tif 000008